(57)【要約】【課題】  シャワー水出口の左右方向の位置が中央に限定されず、また、カバーの形状が変わったとしても連絡配管を複数用意する必要がなく、共通の連絡配管を用いることのできる水栓装置を提供する。【解決手段】  給水配管及び給湯配管と接続される湯水混合弁を内蔵し、左右両端の間にシャワー水出口を有する水栓本体と、前記給水配管及び前記給湯配管を覆うカバーと、前記カバー内において前記シャワー水出口に基端部が接続され、先端部が前記カバーの左側の第一位置と右側の第二位置との何れか一方に択一的に位置する連絡配管と、を備え、前記連絡配管の先端部にシャワーホースが接続される水栓装置であって、前記連絡配管は、差込み構造によって前記先端部の左右方向の位置が調整可能であることを特徴とする。【選択図】  図４
2017048582.tif 000002
【特許請求の範囲】
【請求項１】
給水配管及び給湯配管と接続される湯水混合弁を内蔵し、左右両端の間にシャワー水出口を有する水栓本体と、
前記給水配管及び前記給湯配管を覆うカバーと、
前記カバー内において前記シャワー水出口に基端部が接続され、先端部が前記カバーの左側の第一位置と右側の第二位置との何れか一方に択一的に位置する連絡配管と、を備え、
前記連絡配管の先端部にシャワーホースが接続される水栓装置であって、
前記連絡配管は、差込み構造によって前記先端部の左右方向の位置が調整可能であることを特徴とする水栓装置。
【請求項２】
前記連絡配管における差込み構造には、リング状のシール材による周面シールが形成されていることを特徴とする請求項１記載の水栓装置。
【請求項３】
前記連絡配管は、前記シャワー水出口に一端側が接続され、他端側が前記カバーの側面に向かうように屈曲した第一エルボー管と、
この第一エルボー管の他端側に差込み構造によって一端側が連結され、他端側には前記カバーの側面から露出して前記シャワーホースが接続されるシャワー継手部が屈曲形成された第二エルボー管と、から成ることを特徴とする請求項１又は請求項２に記載の水栓装置。
【請求項４】
前記カバー内に固定され、前記第二エルボー管が固定された固定部材を備えたことを特徴とする請求項３記載の水栓装置。
【請求項５】
前記固定部材は、前記給水配管、前記給湯配管、又は、前記水栓本体の何れかにねじ止め固定されていると共に、前記第二エルボー管とねじ止め固定されていることを特徴とする請求項４に記載の水栓装置。
【発明の詳細な説明】
【技術分野】
【０００１】
本発明は水栓装置に関し、詳しくはシャワーホースが接続されて使用される水栓装置に関する。
【背景技術】
【０００２】
従来から浴室などに設置される水栓装置として、水栓本体にシャワーエルボが取り付けられて、そこにシャワーホースが接続され、このシャワーホースの先端のシャワーヘッドを使用者が手に持って水浴びする水栓装置が知られている。そして、このようなシャワーホースが接続されて使用される水栓装置として、水栓装置の一部をカバーで覆うことで外観をすっきりとさせ、清掃性や意匠性を向上させた水栓装置が知られている。
【０００３】
また、水栓装置の一部をカバーで覆ったシャワーホースが接続されて使用される形態の水栓装置として、水栓本体の左右両端間の中間部にシャワー水出口を設け、このシャワー水出口とシャワーホースを接続する接続口部とを連絡する連絡配管を、水栓本体を覆うカバーの左側の第一位置（Ｌ仕様）と右側の第二位置（Ｒ仕様）との何れか一方に択一的に固定し、この連絡配管の先端にシャワーホースを接続するように為した水栓装置がある（例えば、特許文献１参照）。
【先行技術文献】
【特許文献】
【０００４】
【特許文献１】特開平１０−３０６４８０号公報
【発明の概要】
【発明が解決しようとする課題】
【０００５】
上記の特許文献１の水栓装置においては、シャワーホースの接続口部を水栓本体の左右どちらにでも設定することができ、Ｌ仕様、Ｒ仕様何れの形態の浴室に対しても共通の水栓で対応することが可能となるが、シャワー水出口が水栓本体の左右両端間の中央から偏った位置にある場合には、連絡配管をＬ仕様とＲ仕様との２種類用意しておく必要があり、また、カバーの外観を変える為にシャワー水出口からカバーの左右両端までの距離が変わる場合でも、それに応じて連絡配管を作り直す必要があった。
【０００６】
本発明は、上記問題を解決するためになされたもので、本発明の課題は、カバーに覆われたシャワー水出口とカバーの左右とを連絡する連絡配管を備えた水栓装置において、シャワー水出口の左右方向の位置が中央に限定されず、また、カバーの形状が変わったとしても連絡配管を複数用意する必要がなく、共通の連絡配管を用いることのできる水栓装置を提供することを目的とする。
【課題を解決するための手段】
【０００７】
上記目的を達成するために本発明に係わる水栓装置においては、給水配管及び給湯配管と接続される湯水混合弁を内蔵し、左右両端の間にシャワー水出口を有する水栓本体と、前記給水配管及び前記給湯配管を覆うカバーと、前記カバー内において前記シャワー水出口に基端部が接続され、先端部が前記カバーの左側の第一位置と右側の第二位置との何れか一方に択一的に位置する連絡配管と、を備え、前記連絡配管の先端部にシャワーホースが接続される水栓装置であって、前記連絡配管は、差込み構造によって前記先端部の左右方向の位置が調整可能であることを特徴とする。
【０００８】
このように構成された水栓装置においては、連絡配管の差込構造を利用してこの連絡配管の先端部の左右方向位置を調整することができるため、カバーの大きさが異なっていたりシャワー水出口が偏っていたりして、シャワー水出口からカバーの左右側面までの距離が異なる水栓装置に対して連絡配管を共用することができ、部品点数を削減することができる。また、ねじ接続方式に比べて組立てを簡素できる。
【０００９】
また、本発明における好ましい形態としては、前記連絡配管における差込み構造には、リング状のシール材による周面シールが形成されていることを特徴とする。
この好ましい形態においては、リング状のシール材による周面シールという簡素なシール構造によって、差込み構造によって連絡配管の先端部の左右方向位置を調整した際のシール性を確保することができる。
【００１０】
また、本発明の好ましい形態としては、前記連絡配管は、前記シャワー水出口に一端側が接続され、他端側が前記カバーの側面に向かうように屈曲した第一エルボー管と、この第一エルボー管の他端側に差込み構造によって一端側が連結され、他端側には前記カバーの側面から露出してシャワーホースが接続されるシャワー継手部が屈曲形成された第二エルボー管と、から成ることを特徴とする。
この好ましい形態においては。シャワーホースを接続するためのシャワー継手部を第二エルボー管に形成し、この第二エルボー管と第一エルボー管とによって連絡配管を構成しているため、部品点数を増やすことなく差込み構造を実現することができる。
【００１１】
また、本発明の好ましい形態としては、前記カバー内に固定され、前記第二エルボー管が固定された固定部材を備えたことを特徴とする。
この好ましい形態においては、ケース内に固定された固定部材に第二エルボー管が固定されていることによって、第一エルボー管に対する第二エルボー管の抜け止めが図られると共に、カバー内における連絡配管の位置決めを図ることができる。
【００１２】
また、本発明の好ましい形態としては。前記固定部材は、前記給水配管、前記給湯配管、又は、前記水栓本体の何れかにねじ止め固定されていると共に、前記第二エルボー管とねじ止め固定されていることを特徴とする。
この好ましい形態においては、ねじ止めによる簡素な構成によって、第一エルボー管に対する第二エルボー管の抜け止めが図られると共に、カバー内における連絡配管の位置決めを図ることができる。
【発明の効果】
【００１３】
本発明によれば、カバーの大きさが異なっていたりシャワー水出口が偏っていたりして、シャワー水出口からカバーの左右側面までの距離が異なる水栓装置に対して連絡配管を共用することができ、部品点数を削減することができる。
【図面の簡単な説明】
【００１４】
【図１】本発明の実施形態に係わる水栓装置の斜視図である。
【図２】図１においてカバーを取外した状態を示す斜視図である。
【図３】図２において固定部材を取外した状態を示す斜視図である。
【図４】本発明の実施形態に係わる連絡配管の断面図である。
【発明を実施するための形態】
【００１５】
本発明の水栓装置の実施形態について図面に基づいて説明する。
図１は、本発明の実施形態に係わる水栓装置の斜視図である。この図１に示すように、水栓装置１は、建物の壁面に固定されて使用される。なお、以降の説明において、壁面に向かう方向を後側と呼び、壁面から離れる方向を前側と呼ぶ。また、壁面と平行な水平方向を側方と呼び、壁面に向って左側方を左側、壁面に向って右側方を右側と呼ぶ。また、鉛直上向きを上側、鉛直下向きを下側と呼び説明を行う。
【００１６】
水栓装置１は、後述する水栓本体１９が収納されたフレーム３と、このフレーム３の上側を覆うカバー５とを有している。そして、吐水口７が下側に形成され、左側面にはシャワー継手部９が形成されている。シャワー継手部９にはシャワーホース（図示せず）が接続可能であり、このシャワーホースの先端のシャワーヘッドを使用者が手に持って水浴びすることが可能である。
【００１７】
また、水栓装置１の左側面には水栓本体１９に連結された温調ハンドル１１が、右側面には切替ハンドル１３が設けられている。使用者は、温調ハンドル１１を回動操作することで水栓本体１９における混合温度を調整することができ、切替ハンドル１３を回動操作することで、止水状態、吐水口７からの吐水状態、シャワー継手部９からの吐水状態の何れかに切替えることができる。
【００１８】
次に、水栓装置１の詳細構造について図２、図３を用いて説明する。
図２は、図１においてカバー５を取外した状態を示す斜視図であり、図３は、図２において固定部材３１を取外した状態を示す斜視図である。これら図２と図３に示すように、フレーム３の内部には、給湯器などの給湯源から供給された湯が流入する給湯配管１５と、水道配管などの給水源から供給された水が流入する給水配管１７とが収納されており、この給湯配管１５と給水配管１７の下流側は水栓本体１９に接続されている。
【００１９】
水栓本体１９の左右両端の間には、下側面に吐水口７が形成されており、後側面にはシャワー水出口２１が形成されている。そして、水栓装置１の内部には、形状記憶合金製の感温ばねを用いて給湯配管１５および給水配管１７から供給された湯と水との混合比率を設定温度となるように調整する湯水混合バルブ（図示せず）が内蔵されていると共に、この湯水混合バルブによって混合された湯水を、止水状態、吐水口７に向けた流出状態、シャワー水出口２１に向けた流出状態の何れかに切替える切替バルブ（図示せず）が内蔵されている。
【００２０】
使用者は、温調ハンドル１１の前側を持ち上げるように回動させることで混合バルブにおける混合温度が低温となるように設定可能であり、前側を押し下げるように回動させることで高温となるように設定可能である。また、切替ハンドル１３は中立位置において切替バルブが止水状態となり、前側を持ち上げるように回動させることでシャワー水出口２１に向けた流出状態となり、前側を押し下げるように回動させることで吐水口７に向けた流出状態となるように切替バルブを操作可能である。
【００２１】
シャワー水出口２１には連絡配管２３の基端部が接続されている。この連絡配管２３の先端側にはシャワー継手部９が形成されており、水栓本体１９からシャワー水出口２１へと流出した湯水がシャワー継手部９へと供給可能となっている。そして、水栓装置１においては、フレーム３に収納されている給湯配管１５、給水配管１７、水栓本体１９、および、連絡配管２３はカバー５によって覆われるが（図１参照）、連絡配管２３の先端側に位置するシャワー継手部９は、カバー５によって覆われずに露出することとなる。
【００２２】
次に、連絡配管２３について説明する。図４は、本発明の実施形態に係わる連絡配管２３の断面図である。この図４に示すように、連絡配管２３は、シャワー水出口２１に一端側が接続され、他端側がカバー５の側面に向かうように屈曲した第一エルボー管２５と、この第一エルボー管２５の他端側に差込み構造によって一端側が連結され、他端側にはカバー５の側面から露出したシャワー継手部９が屈曲形成された第二エルボー管２７とによって構成されている。
【００２３】
そして、第一エルボー管２５に対して差し込まれる第二エルボー管２７の周面にはリング状のシール材であるＯリング２９が装着されており、このＯリング２９による周面シールを保ったまま、第一エルボー管２５に対する第二エルボー管２７の差込量を変化させることが可能となっている。そのため、第一エルボー管２５が接続されたシャワー水出口２１に対する第二エルボー管２７のシャワー継手部９までの側方距離が調整可能となっている。
【００２４】
このように、連絡配管２３を構成する第一エルボー管２５に対する第二エルボー管２７の差込構造を利用して、この連絡配管２５の先端部となるシャワー継手部９の位置を調整することができるため、カバー５の大きさが異なり、シャワー水出口２１からカバー５の側面までの距離が異なる水栓装置１に対して連絡配管２３を共用することができ、部品点数を削減することができる。また、ねじ接続方式に比べて組立てを簡素にできる。
【００２５】
次に、連絡配管２３の固定構造について、図２および図３に戻って説明する。図２に示すように、給湯配管１５と給水配管１７には雌ねじ部１５ａ，１７ａが夫々設けられており、この雌ねじ部１５ａ，１７ａに取付けねじ３３を螺合させることによって固定部材３１が取付けられている。そして、この固定部材３１に対して固定ねじ３５を用いて第二エルボー管２７が固定されている。
【００２６】
このように固定部材３１に第二エルボー管２７を固定することによって、第一エルボー管２５に対する第二エルボー管２７の抜け止めが図られる。また、第一エルボー管２５に対する第二エルボー管２７の差込み量も規定されることになるため、シャワー水出口２１からカバー５の側面までの距離に応じて固定ねじ３５の差込み位置が設定された固定部材３１を用いることで、連絡配管２５の左右方向の長さをシャワー水出口２１からカバー５の側面までの距離となるように調整することができる。
【００２７】
また、シャワー水出口２１に対して第一エルボー管２５は首振り自在に固定可能となっており、図２や図３に示す第二エルボー配管２７が左側に位置する状態から右側に位置する状態へ変更可能であり、シャワーホース取付け位置をＬ仕様、Ｒ仕様の両方に対応をすることができる。
【００２８】
このとき、第一エルボー管２５に対して第二エルボー管２７を周方向に回動させることができるため、第二エルボー管２７の先端にあるシャワー継手部９を下向きとすることができるため、第二エルボー管２７に対してシャワー継手部９を回動可能とする必要がなく一体に形成できるため、部品点数が増えることを抑制できる。
【００２９】
なお、このように右側に第二エルボー管２７が位置させた状態では、固定部材３１の右側に設けられている固定ねじ孔３１ａに固定ねじ３５を差し込んで第二エルボー管２７の雌ねじ部２７ａに螺合させることで、固定部材３１を共用して、シャワーホース取付けのＬ仕様とＲ仕様の両方に対応をすることができる。
【００３０】
以上、本発明の実施形態について説明したが、本発明はこれら実施形態に限定されるものではない。例えば、固定部材３１が給湯配管１５や給水配管１７に固定されることに代えて、水栓本体１９に固定されるようにしてもよい。
【００３１】
また固定部材３１における固定ねじ孔３１ａを左右方向に長く形成したり、複数個設けるようにし、固定ねじ３５のねじ込み位置を調整できるようにして、１つの固定部材３１を用いて第一エルボー管２５に対する第二エルボー管２７の差込量を調整できるようにしてもよい。
【符号の説明】
【００３２】
１…水栓装置
３…フレーム
５…カバー
７…吐水口
９…シャワー継手部
１１…温調ハンドル
１３…切替ハンドル
１５…給湯配管
１７…給水配管
１９…水栓本体
２１…シャワー水出口
２３…連絡配管
２５…第一エルボー管
２７…第二エルボー管
２９…Ｏリング
３１…固定部材
３３…取付けねじ
３５…固定ねじ
【図１】
2017048582.tif 000003
【図２】
2017048582.tif 000004
【図３】
2017048582.tif 000005
【図４】
2017048582.tif 000006